(57)【要約】【課題】  磁気カードに記録された磁気情報又は端末から送信される無線電波による磁気情報を取り込んで処理すること。【解決手段】  磁気カードの挿入排出口となる開口部と、開口部近傍に配置され、電磁界の変化を検知して信号を出力する磁気ストライプ検知部と、磁気情報を読み取る磁気情報読み取り部と、開口部に連なる搬送路に沿って配置され、開口部から挿入された磁気カードを搬送するカード搬送部と、開口部に連なる搬送路を開閉するシャッタを駆動するシャッタ駆動部と、を備え、前記磁気ストライプ検知部は、開口部から挿入された磁気カードに記録された磁気ストライプによる信号を検知する、又は開口部近傍に配置される端末から送信される無線電波による信号を検知し無線電波で送信された磁気情報を読み取る磁気情報処理部を備える。
2017208479.tif 000002
【特許請求の範囲】
【請求項１】
磁気カードの挿入排出口となる開口部と、
前記開口部近傍に配置され、電磁界の変化を検知して信号を出力する磁気ストライプ検知部と、
磁気情報を読み取る磁気情報読み取り部と、
前記開口部に連なる搬送路に沿って配置され、前記開口部から挿入された前記磁気カードを搬送するカード搬送部と、
前記開口部に連なる搬送路を開閉するシャッタを駆動するシャッタ駆動部と、
を備え、
前記磁気ストライプ検知部は、
前記開口部から挿入された前記磁気カードに記録された磁気ストライプによる信号を検知する、又は前記開口部近傍に配置される端末から送信される前記無線電波による信号を検知し前記無線電波で送信された磁気情報を読み取る磁気情報処理部を備えた
ことを特徴とする、カード処理装置。
【請求項２】
前記磁気情報処理部は、
前記磁気ストライプ検知部の検知による信号の周期により、前記磁気カードに記録された磁気ストライプの磁気情報か、前記端末から前記無線電波で送信された磁気情報かを判定する
ことを特徴とする、請求項１に記載のカード処理装置。
【請求項３】
前記シャッタ駆動部は、
前記磁気ストライプ検知部が、前記開口部から挿入された前記磁気カードに記録された磁気ストライプによる信号を検知したことを条件に、前記シャッタを開く処理を実行する
ことを特徴とする、請求項２に記載のカード処理装置。
【請求項４】
前記磁気情報処理部は、
前記開口部から挿入された前記磁気カードに記録された磁気ストライプによる信号を取り込んで磁気情報として処理する場合、当該処理中は、前記磁気ストライプ検知部から前記無線電波による信号が出力されても、当該信号に対する処理を停止する
ことを特徴とする、請求項３に記載のカード処理装置。
【請求項５】
前記磁気情報処理部が、前記磁気カードに記録された磁気ストライプによる信号を読み取って磁気情報として処理する場合、前記端末からの無線電波に対する処理を停止する旨を報知する報知部を更に備える
ことを特徴とする、請求項４に記載のカード処理装置。
【請求項６】
前記開口部から挿入された前記磁気カードを検知するカード挿入検知部を更に備え、
前記磁気情報処理部は、
前記カード挿入検知部が前記磁気カードを検知したことを条件に、処理対象となる磁気情報を、前記磁気カードに記録された磁気ストライプの磁気情報と判定し、前記カード挿入検知部が前記磁気カードを検知しないことを条件に、前記処理対象となる磁気情報を、前記無線電波で送信された磁気情報と判定する
ことを特徴とする、請求項１に記載のカード処理装置。
【請求項７】
前記シャッタ駆動部は、
前記カード挿入検知部が、前記開口部から挿入された前記磁気カードを検知したことを条件に、前記シャッタを開く処理を実行する
ことを特徴とする、請求項６に記載のカード処理装置。
【請求項８】
情報の入出力を行う入出力部と、磁気カードに記録された磁気情報を読み取って処理するカード処理部と、現金の入出力を行う現金処理部と、全体を統括制御する制御部とを備えた自動取引装置であって、
前記カード処理部に、請求項１〜７のうちいずれか１項に記載のカード処理装置の構成要素を搭載する
ことを特徴とする、自動取引装置。
【発明の詳細な説明】
【技術分野】
【０００１】
本発明は、無線式の磁気情報読取り機能を備えたカード処理装置および自動取引装置に関する。
【背景技術】
【０００２】
ＡＴＭ（現金自動預金支払機）などの取引処理装置には、磁気カードに対して情報の処理を行うカード処理装置が搭載されている。このカード処理装置は、カード挿入排出口から挿入された磁気カードを本体内に取り込んで、磁気カードの磁気ストライプに記録された磁気情報を本体内部の磁気ヘッドで読み込んだりする。そして、取引終了後に、磁気カードを本体内からカード挿入排出口へ排出する。【０００３】
カード処理装置のカード挿入排出口には、異物を挿入されないようシャッターが設けられており、挿入されたカードの磁気ストライプの有無をカード挿入排出口の磁気ストライプ検知センサで検出し、磁気ストライプがある場合はシャッターを開け、磁気ストライプがない場合はシャッターを開けない機構を実装している（例えば特許文献１）。【０００４】
一方、クレジット決済端末では、磁気カードをクレジット決済端末の端面に取り付けられた磁気カード読取り部に手動で通すことにより、磁気カードの磁気ストライプに記録された磁気情報を磁気ヘッドで読み込んだりする。【０００５】
最近では、磁気情報を無線電波で送信するスマートフォンを、磁気カード読取り部の近傍に近づけ、無線電波で磁気カード情報をクレジット決済端末やカード処理装置に送ることで、磁気カード読取り部やカード処理装置に磁気カードを通すことと同様のデータを読取る効果を得られる「Ｓａｍｓｕｎｇ  Ｐａｙ」、「Ｌｏｏｐ  Ｐａｙ」と呼ばれる技術が実用されはじめている（例えば特許文献２）。
【先行技術文献】
【特許文献】
【０００６】
【特許文献１】特開２００５−４４１０７号公報
【特許文献２】米国特許第８８１４０４６号明細書
【発明の概要】
【発明が解決しようとする課題】
【０００７】
しかし、無線電波により磁気情報を送信する場合、ＡＴＭに搭載しているカード処理装置は、磁気情報を読み込むための磁気ヘッドが、カード処理装置内部にあり、無線電波が届かないため、無線電波による磁気情報を読むことができないという課題がある。一方、カード処理装置内部の磁気ヘッドに無線電波を届くように無線電波の出力を上げると、無線電波を送信するハンディ端末が大きくなったり、バッテリーの消耗が早くなったりし、さらに、他の電波に弱い機器が誤動作する、という課題も予想される。【０００８】
また、無線電波を送信する端末の変更を加えることなく、ＡＴＭにおいて無線電波による磁気情報の取引を実現するためには、無線電波が届くＡＴＭ表面の位置に磁気情報を読取るための磁気ヘッド等のセンサを新たに設ける必要があるという課題もある。【０００９】
本発明は以上の点を考慮してなされたもので、磁気カードに記録された磁気情報又は端末から送信される無線電波による磁気情報を取り込んで処理することができるカード処理装置および自動取引装置を提供することである。
【課題を解決するための手段】
【００１０】
かかる課題を解決するために本発明においては、磁気カードの挿入排出口となる開口部と、前記開口部近傍に配置され、電磁界の変化を検知して信号を出力する磁気ストライプ検知部と、前記磁気ストライプ検知部の検知による信号であって無線電波による信号又は前記開口部から挿入された前記磁気カードに記録された磁気ストライプによる信号を取り込んで磁気情報として処理する磁気情報処理部と、前記開口部に連なる搬送路に沿って配置され、前記開口部から挿入された前記磁気カードを搬送するカード搬送部と、前記開口部に連なる搬送路を開閉するシャッタを駆動するシャッタ駆動部と、を備え、前記磁気ストライプ検知部は、前記開口部から挿入された前記磁気カードに記録された磁気ストライプによる信号又は前記開口部近傍に配置される端末から送信される前記無線電波による信号を検知することを特徴とする。【００１１】
かかる構成によれば、磁気ストライプ検知部が、磁気カードに記録された磁気ストライプによる信号を検知した場合、磁気カードに記録された磁気ストライプによる信号が磁気情報として処理され、磁気ストライプ検知部が、無線電波による信号を検知した場合、端末から送信される無線電波による信号が磁気情報として処理される。
【発明の効果】
【００１２】
本発明によれば、磁気カードに記録された磁気情報又は端末から送信される無線電波による磁気情報を取り込んで処理することができる。
【図面の簡単な説明】
【００１３】
【図１】本発明の第１の実施の形態に係るカード処理装置の構成を示すブロック図である。
【図２】同実施の形態にかかるカード処理装置の概略構造図である。
【図３】カード処理装置の制御部内の構成を示す説明図である。
【図４】磁気カード挿入時の磁気ストライプ検知部の動作を説明するためのタイムチャートである。
【図５】端末とＡＴＭ内の磁気ストライプ検知部との位置関係を説明するための概略構成図である。
【図６】カード挿入時と端末操作時の動作を説明するための説明図である。
【図７】無線電波による磁気情報を送信する場合の動作を説明するためのタイムチャートである。
【図８】本発明の第２の実施の形態にかかるカード処理装置の構成を示すブロック図である。
【図９】同実施の形態かかるカード処理装置の動作を説明するためのフローチャートである。
【図１０】カード挿入時と端末操作時の動作を説明するための説明図である。
【図１１】磁気カード挿入時の磁気ストライプ検知部とカード挿入検知部の動作を説明するためのタイムチャートである。
【図１２】無線電波による磁気情報を読み取る場合の動作を説明するためのタイムチャートである。
【発明を実施するための形態】
【００１４】
以下、図面を用いて、本発明の一実施の形態を詳述する。
【００１５】
（１）第１の実施の形態
（１−１）カード処理装置の構成
まず、本実施の形態にかかるカード処理装置１００の構成について、図１および図２を参照して説明する。図１は、本発明の第１の実施の形態に係るカード処理装置の構成を示すブロック図であり、図２は、同実施の形態にかかるカード処理装置の概略構造図である。
【００１６】
カード処理装置１００は、例えば、金融機関に設置されたＡＴＭ（Automatic Teller Machine）などに搭載される。カード処理装置１００は、顧客が所有する磁気カードを受け付けて、磁気カードに記録された磁気情報を読み取ると共に、顧客が所有する端末から送信される磁気情報を受信して読み取るカード処理装置として構成されている。
【００１７】
具体的には、図１に示すように、カード処理装置１００は、本体１とシャッタユニット１０を備えている。本体１は、制御部２、記憶部３、磁気読み取り部４、カード搬送部５、カード位置検出センサ６、ホストインタフェイス７、入出力インタフェイス２０から構成される。入出力インタフェイス２０には、ランプ１３及びスピーカ１４が接続される。シャッタユニット１０は、シャッタ駆動部９、磁気ストライプ検知部２１から構成される。
【００１８】
制御部２は、例えば、マイクロコンピュータ（ＣＰＵ）から構成され、各部の動作を制御する。記憶部３は、メモリから構成され、各種の情報を記憶している。磁気読み取り部４は、図２に示すように、磁気ヘッド４ａと、磁気ヘッド４ａを駆動するための回路（図示せず）から構成され、磁気ヘッド４ａが、プラテンローラ４ｂと相対向して配置されている。磁気読み取り部４は、本体１内で磁気ヘッド４ａにより磁気カード２００の磁気ストライプから磁気情報を読み取る。
【００１９】
カード搬送部５は、図２に示すように、複数のローラ５ａと、各ローラ５ａを回転させるためのモータや回路（図示せず）から構成されている。カード搬送部５は、本体１内でローラ５ａ間に磁気カード２００を挟み込み、モータの駆動力でローラ５ａを回転させて、磁気カード２００を往復搬送する。
【００２０】
カード位置検出センサ６は、図２に示すように、複数の光センサ（発光素子と受光素子を含む）６ａから構成されている。制御部２は、各カード位置検出センサ６の出力状態に基づいて、本体１内における磁気カード２００の位置を検知する。ホストインタフェイス７は、ＡＴＭに情報を送受信する回路から構成されている。
【００２１】
次に、シャッタユニット１０の詳細について説明する。磁気ストライプ検知部２１は、例えば、磁気ヘッドを有し、磁気ヘッド先端の電磁界の変化により信号を出力する。この際、磁気ストライプ検知部２１は、磁気カード２００に記録された磁気ストライプによる信号又は端末から送信される無線電波による信号を検知することができる。シャッタ駆動部９は、シャッタ９ａを開閉させるためのソレノイドや回路（図示せず）から構成されている。
【００２２】
カード処理装置１００の本体１には、図２に示すように、シャッタユニット１０が連結されている。シャッタユニット１０は、取付ユニット１１を介してプレート１２の開口部に固定されている。本体１内には、カード搬送部５に属する複数のローラ５ａと、カード位置検出センサ６に属する複数の光センサ６ａと、磁気読み取り部４に属する磁気ヘッド４ａが収納されている。取付ユニット１１の前面側には、磁気カード２００の挿入排出口となる開口部１１ａが形成されていると共に、複数のランプ１３が固定されている。プレート１２にはスピーカ１４が配置されている。シャッタユニット１０には、シャッタ駆動部９によって開閉されるシャッタ９ａと、磁気ストライプ検知部２１が収納されている。シャッタ９ａは、開口部１１ａに連なる搬送路（カード搬送路）２００ａを開閉し、本体１内の搬送路２００ａに異物が挿入されるのを防止することができる。磁気ストライプ検知部２１は、磁気カード２００の搬送路２００ａ近傍に配置されている。この際、カード搬送部５は、開口部１１ａに連なる搬送路２００ａに沿って配置され、開口部１１ａから挿入された磁気カード２００を搬送し、シャッタ駆動部９は、開口部１１ａに連なる搬送路２００ａのうち開口部１１ａと本体１との間の搬送路２００ａを開閉するシャッタ９ａを駆動する。
【００２３】
（１−２）磁気カード挿入時の動作
図３は、カード処理装置の制御部内の構成を示す説明図である。図３において、シャッタユニット１０に挿入された磁気カード２００に磁気情報が書き込まれている場合、取付ユニット１１の開口部１１ａから挿入された磁気カード２００のうち磁気ストライプの部位が磁気ストライプ検知部２１の位置に到達すると、磁気ストライプ検知部２１は、磁気カード２００の磁気ストライプを検知して検知信号を制御部２に出力する。制御部２は、磁気ストライプ検知部２１から検知信号を受信するための磁気ストライプ検出２ａを実行し、磁気ストライプ検知部２１から検知信号を受信したことを条件に、シャッタ開閉処理２ｂを実行する。即ち、制御部２は、磁気カード２００がシャッタ９ａに到達するまでに、シャッタ駆動部９内のソレノイドにより、シャッタ９ａを開け、磁気カード２００を本体１に取り込むための処理を実行する。
【００２４】
本体１に取り込まれた磁気カード２００は、シャッタ９ａ近傍のローラ（第１のローラ）５ａ間に挟み込まれると共に、モータの駆動力で回転する第１のローラ５ａ側から、磁気ヘッド４ａ近傍のローラ（第２のローラ）５ａ側に搬送され、その後、磁気ヘッド４ａを通過する。この際、制御部２は、磁気カード２００に書き込まれた磁気情報を読み取るための磁気読取処理２ｃを実行し、磁気カード２００に書き込まれた磁気情報を出力し、ホストインタフェイス７を介して、上位装置（ＡＴＭ）に磁気情報を送信するための通信処理２ｄを実行する。
【００２５】
図４は、磁気カード挿入時の磁気ストライプ検知部の動作を説明するためのタイムチャートである。図４において、磁気カード２００の磁気ストライプ先端付近にはプリアンブル部と呼ばれる一定間隔の磁気情報が書き込まれており、シャッタユニット１０に挿入された磁気カード２００が等速度で磁気ヘッド４ａを通過した場合、磁気情報が同一間隔で磁気ヘッド４ａから出力される。しかし、ＡＴＭ利用者は、磁気カード２００をシャッタユニット１０に手で挿入するため、挿入された磁気カード２００の速度は徐々に早くなり、磁気ストライプ検知部２１の出力信号も徐々に間隔が短くなる。この様に同一間隔でない信号が磁気ストライプ検知部２１から制御部２に入力され、時間ｔ１で磁気ストライプ有を検知した場合、制御部２は、シャッタユニット１０に磁気ストライプを有する磁気カード２００が挿入されたと判定し、シャッタ駆動部９内のソレノイドにより、シャッタ９ａを開け、磁気カード２００を本体１に取り込むための処理を実行する。
【００２６】
（１−３）無線電波による磁気情報受信時の動作
図５は、端末とＡＴＭ内の磁気ストライプ検知部との位置関係を説明するための概略構成図である。図５において、ＡＴＭ３００内の磁気ストライプ検知部２１は、本体１内の磁気ヘッド４ａと比較して、ＡＴＭ３００の利用者４００に近い位置に配置される。
【００２７】
ＡＴＭ３００の利用者４００が、利用者４００の端末５００を使って、無線電波により磁気情報を送信する場合、本体１内の磁気ヘッド４ａは、無線電波を出力する端末５００との距離が遠く、無線電波が届かないため、無線電波を受信することが困難である。一方、磁気ストライプ検知部２１は、ＡＴＭ３００の表面近くに配置され、無線電波を出力する端末５００との距離が近いため、無線電波による磁気情報を容易に受信することができる。
【００２８】
図６は、カード挿入時と端末操作時の動作を説明するための説明図である。図６において、シャッタユニット１０に挿入された磁気カード２００に磁気情報が書き込まれている場合、取付ユニット１１の開口部１１ａから挿入された磁気カード２００のうち磁気ストライプの部位が磁気ストライプ検知部２１の位置に到達すると、磁気ストライプ検知部２１は、磁気カード２００の磁気ストライプを検知して検知信号を制御部２に出力する。制御部２は、磁気ストライプ検知部２１から検知信号を受信するための磁気ストライプ検出２ａを実行し、磁気ストライプ検知部２１から検知信号を受信したことを条件に、シャッタ開閉処理２ｂを実行し、磁気カード２００がシャッタ９ａに到達するまでに、シャッタ駆動部９内のソレノイドにより、シャッタ９ａを開け、磁気カード２００を本体１に取り込むための処理を実行する。この後、制御部２は、磁気カード２００に書き込まれた磁気情報を読み取るための磁気読取処理２ｃを実行し、磁気カード２００に書き込まれた磁気情報を出力し、ホストインタフェイス７を介して、上位装置（ＡＴＭ）に磁気情報を送信するための通信処理２ｄを実行する。
【００２９】
一方、利用者４００が、利用者４００の端末５００を使って、無線電波により磁気情報を送信する場合、磁気ストライプ検知部２１は、端末５００から送信される無線電波を受信し、受信した無線電波から得られた信号を制御部２に出力する。制御部２は、磁気ストライプ検知部２１から出力された信号を磁気情報として読み取るための磁気読取処理２ｃを実行し、端末５００からの磁気情報を出力し、ホストインタフェイス７を介して、上位装置（ＡＴＭ）に磁気情報を送信するための通信処理２ｄを実行する。この際、制御部２と磁気読み取り部４は、磁気ストライプ検知部２１の検知による信号であって無線電波による信号又は開口部１１ａから挿入された磁気カード２００に記録された磁気ストライプによる信号を取り込んで磁気情報として処理する磁気情報処理部として機能する。また、制御部２は、カード処理中である場合、端末５００からの無線電波に反応しないようにするために、磁気ストライプ検知部２１から出力された信号を磁気情報として読み取るための磁気読取処理２ｃの実行を一時停止し、スピーカ１４から、カード処理中であって、端末５００からの無線電波に反応しない旨の音声を出力させると共に、ランプ１３を点灯又は点滅させる。この際、スピーカ１４とランプ１３は、端末５００からの無線電波に対する処理を停止する旨を報知する報知部として機能する。
【００３０】
図７は、無線電波による磁気情報を送信する場合の動作を説明するためのタイムチャートである。図７において、端末５００から送信される無線電波によるデータのプリアンブル部は一定周期であり、徐々に周期が早くなるものではない。このため、制御部２は、磁気ストライプ検知部２１から出力される信号（データ）のプリアンブル部の周期が一定周期である場合、磁気ストライプ検知部２１から出力される信号が、磁気カード２００の磁気ストライプから得られた信号ではなく、端末５００から送信された無線電波による磁気情報であると判別し、磁気ストライプ検知部２１から出力された信号を磁気情報として読み取り、読み取った磁気情報を、ホストインタフェイス７を介して外部装置（ＡＴＭ）に送信する。
【００３１】
本実施の形態によれば、磁気カード２００に記録された磁気情報又は端末５００から送信される無線電波による磁気情報を取り込んで処理することができる。また、本実施の形態によれば、無線電波を送信する端末５００に変更を加えることなく、かつ、ＡＴＭ３００に無線電波による磁気情報を読取るためのセンサを新たに設けることなく、無線電波による磁気情報を読み取ることができ、加えて、磁気ストライプの有無によってシャッタ９ａを開閉することができる。
【００３２】
（２）第２の実施の形態
（２−１）カード処理装置の構成
次に、第２の実施の形態について説明する。本実施の形態にかかるカード処理装置１００の構成における、第１の実施の形態と同様箇所については詳細な説明は省略し、以下では、第１の実施の形態と異なるカード挿入検知センサに係わる構成および動作について詳細に説明する。図８は、本発明の第２の実施の形態にかかるカード処理装置の構成を示すブロック図である。
【００３３】
まず、図８に示すシャッタユニット１０の詳細について説明する。カード挿入検知部８は、例えば、マイクロスイッチもしくは光センサから構成されている。磁気ストライプ検知部２１およびシャッタ駆動部９は、第１の実施の形態と同様の構成のため、説明は省略する。
【００３４】
（２−２）磁気カード挿入時の動作
第２の実施の形態における、磁気カード挿入による磁気情報の読取り、もしくは、無線電波により磁気情報を受信し、磁気情報を読取る場合の動作を図９に従って説明する。図９は、本実施の形態かかるカード処理装置の動作を説明するためのフローチャートである。
【００３５】
図９において、制御部２は、カード挿入検知部８の出力を監視して、カード挿入検知か否かを判定し（Ｓ４１）、このステップＳ４１で肯定の判定結果を得た場合、即ち、カード挿入検知部８により、シャッタユニット１０に磁気カード２００が挿入されたことが検知された場合、磁気ストライプ検知か否かを判定する（Ｓ４２）。制御部２は、このステップＳ４２で否定の判定結果を得た場合、ステップＳ４１の処理に戻り、ステップＳ４２で肯定の判定結果を得た場合、即ち、磁気ストライプ検知部２１により、磁気カード２００の磁気ストライプが検知された場合、磁気カード２００を搬送するためのカード搬送処理を開始する（Ｓ４３）。
【００３６】
この際、制御部２は、磁気カード２００がシャッタ９ａに到達するまでに、シャッタ駆動部９内のソレノイドにより、シャッタ９ａを開き、磁気カード２００を本体１に取り込むための処理を実行する。なお、制御部２は、カード挿入検知部８が磁気カード２００を検出した時に、シャッタ９ａを開き、磁気カード２００を本体１に取り込んでもよい。
【００３７】
次に、制御部２は、磁気ヘッド４ａにより、磁気カード２００に書き込まれた磁気情報を読み取るための磁気情報読取の処理を実行し（Ｓ４４）、その後、カード位置検出センサ６の出力を監視して、磁気カード２００の後端検出か否かを判定する（Ｓ４５）。制御部２は、カード位置検出センサ６が磁気カード２００の後端を検出するまでステップＳ４５の処理を継続し、カード位置検出センサ６が磁気カード２００の後端を検出した場合、カード搬送部５に対して磁気カード２００の搬送を停止させるための処理を実行し（Ｓ４６）、その後、このルーチンでの処理を終了する。
【００３８】
一方、ステップＳ４１で否定の判定結果を得た場合、即ち、カード挿入検知部８により、シャッタユニット１０に磁気カード２００が挿入されたことが検知されなかった場合、制御部２は、端末５００から、無線電波による磁気データを受信したか否かを判定する（Ｓ４７）。制御部２は、ステップＳ４７で否定の判定結果を得た場合、ステップＳ４１の処理に戻り、ステップＳ４７で肯定の判定結果を得た場合、即ち、磁気ストライプ検知部２１が端末５００から無線電波による磁気データ（磁気情報）を受信した場合、磁気ストライプ検知部２１の出力信号から磁気情報を読み取るための磁気情報読取の処理を実行し（Ｓ４８）、その後、このルーチンでの処理を終了する。
【００３９】
本体１に磁気カード２００を取り込んだ以降の動作は第１の実施の形態と同様の構成のため、説明は省略する。
【００４０】
（２−３）無線電波による磁気情報読取り時の動作
図１０は、カード挿入時と端末操作時の動作を説明するための説明図である。図１０において、シャッタユニット１０に挿入された磁気カード２００に磁気情報が書き込まれている場合、カード挿入検知部８が取付ユニット１１の開口部１１ａから挿入された磁気カード２００を検知すると、カード挿入検知部８から制御部２に検知信号が出力される。制御部２は、カード挿入検知部８からの検知信号に応答して即座にカード挿入検知２ｅを行う。続いて、磁気ストライプ検知部２１が、磁気カード２００の磁気ストライプを検知すると、磁気ストライプ検知部２１から制御部２に検知信号が出力される。制御部２は、磁気ストライプ検知部２１から検知信号を受信した場合、磁気ストライプ検出２ａを実行し、磁気ストライプ検知部２１から検知信号を受信したことを条件に、シャッタ開閉処理２ｂを実行し、磁気カード２００がシャッタ９ａに到達するまでに、シャッタ駆動部９内のソレノイドにより、シャッタ９ａを開け、磁気カード２００を本体１に取り込むための処理を実行する。この後、制御部２は、磁気カード２００に書き込まれた磁気情報を読み取るための磁気読取処理２ｃを実行し、磁気カード２００に書き込まれた磁気情報を出力し、ホストインタフェイス７を介して、上位装置（ＡＴＭ）に磁気情報を送信するための通信処理２ｄを実行する。
【００４１】
一方、利用者４００が、利用者４００の端末５００を使って、無線電波により磁気情報を送信する場合、磁気ストライプ検知部２１は、端末５００から送信される無線電波を受信し、受信した無線電波から得られた信号を制御部２に出力する。この際、制御部２は、カード挿入検知部８からの検知信号を受信しないので、磁気ストライプ検知部２１から出力された信号を、無線電波から得られた磁気情報であると判別し、磁気ストライプ検知部２１から出力された信号を読み取るための磁気読取処理２ｃを実行し、端末５００からの磁気情報を出力し、ホストインタフェイス７を介して、上位装置（ＡＴＭ）に磁気情報を送信するための通信処理２ｄを実行する。
【００４２】
図１１は、磁気カード挿入時の磁気ストライプ検知部とカード挿入検知部の動作を説明するためのタイムチャートである。図１１において、シャッタユニット１０に磁気カード２００が挿入された場合、カード挿入検知部８が時間ｔ１で磁気カード２００を検知すると、カード挿入検知部８から制御部２に、「カード有」を示す検知信号が出力される。この後、磁気カード２００が磁気ストライプ検知部２１の領域を通過すると、磁気ストライプ検知部２１からは、磁気カード２００の磁気ストライプ先端付近に記録されたプリアンブル部の磁気情報による信号が制御部２に出力される。この際、制御部２は、カード挿入検知部８からの検知信号が「カード有」を示す検知信号であるので、磁気ストライプ検知部２１の出力信号が、磁気ストライプによる磁気情報であると判別し、時間ｔ２で、シャッタ駆動部９内のソレノイドにより、シャッタ９ａを開け、磁気カード２００を本体１に取り込むための処理を実行する。
【００４３】
図１２は、無線電波による磁気情報を読み取る場合の動作を説明するためのタイムチャートである。図１２において、端末５００から送信される無線電波によるデータのプリアンブル部は一定周期であり、磁気ストライプ検知部２１が、端末５００から無線電波によるデータのうちプリアンブル部のデータを受信した場合、磁気ストライプ検知部２１からは一定周期の信号が出力される。一方、シャッタユニット１０に磁気カード２００が挿入されない場合、カード挿入検知部８からは、「カード無」を示す信号が出力される。このため、制御部２は、カード挿入検知部８から「カード無」を示す信号を受信した場合、磁気ストライプ検知部２１から出力される信号（データ）を無線電波による信号と判別し、磁気ストライプ検知部２１から出力された信号を磁気情報として読み取り、読み取った磁気情報を、ホストインタフェイス７を介して外部装置（ＡＴＭ）に送信する。
【００４４】
本実施の形態によれば、第１の実施の形態と同様の効果を奏することができると共に、カード挿入検知部８によって磁気カード２００が挿入されたことを即座に検知することができ、加えて、カード挿入検知部８によって磁気カード２００が検知されない場合、磁気ストライプ検知部２１の検知による信号が、端末５００から送信された無線電波による磁気情報であることを即座に判別することができる。
【００４５】
なお、本発明は上記した実施の形態に限定されるものではなく、様々な変形例が含まれる。例えば、上記した実施の形態におけるカード処理装置１００を自動取引装置に適用することができる。具体的には、情報の入出力を行う入出力部（タッチパネル）と、磁気カードに記録された磁気情報を読み取って処理するカード処理部（カードリーダ）と、レシートに情報を記録して処理するレシート処理部と、現金（紙幣と硬貨を含む）の入出力を行う現金処理部と、全体を統括制御すると共に、データベースと情報の送受信を行う制御部とを備えた自動取引装置を構成する場合、カード処理部に、カード処理装置１００の構成要素を搭載することができる。上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加・削除・置換をすることが可能である。
【００４６】
また、上記の各構成、機能等は、それらの一部又は全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に記録して置くことができる。
【符号の説明】
【００４７】
１  本体、２  制御部、４  磁気読み取り部、４ａ  磁気ヘッド、５  カード搬送部、８  カード挿入検知部、９  シャッタ駆動部、９ａ  シャッタ、１０  シャッタユニット、２１  磁気ストライプ検知部、１００  カード処理装置、２００  磁気カード、３００  ＡＴＭ、４００  ＡＴＭ利用者、５００  端末
【図１】
2017208479.tif 000003
【図２】
2017208479.tif 000004
【図３】
2017208479.tif 000005
【図４】
2017208479.tif 000006
【図５】
2017208479.tif 000007
【図６】
2017208479.tif 000008
【図７】
2017208479.tif 000009
【図８】
2017208479.tif 000010
【図９】
2017208479.tif 000011
【図１０】
2017208479.tif 000012
【図１１】
2017208479.tif 000013
【図１２】
2017208479.tif 000014
【国際調査報告】
2017208479.tif 000015
2017208479.tif 000016
2017208479.tif 000017
2017208479.tif 000018